(57)【要約】      （修正有）【課題】データのバックアップ時および復元時のユーザーへの負担を軽減する。【解決手段】非接触ＩＣカードに対しデータを読み書きするカードインターフェイス部と、サーバーと通信する高速通信部と、ユーザーからの指示を受付ける操作部と、前記カードインターフェイス部、前記高速通信部および前記操作部を制御しかつユーザーの指示に応答して前記サーバーから一以上のアプリケーションをダウンロードしインストールする制御部と、インストールされているアプリケーションのリストおよびユーザー別の設定に係る設定情報を格納するデータ格納部とを備え、前記制御部はバックアップ指示に応答して前記リストと前記設定情報とを前記データ格納部から前記非接触ＩＣカードに書込み、リストア指示に応答して前記非接触ＩＣカードにバックアップされた前記リストと前記設定情報とを前記データ格納部へ格納し、前記設定情報に基づき前記ユーザーに応じた設定を行う。【選択図】図５
2013257780.tif 000002
【特許請求の範囲】
【請求項１】
データを保持しかつそのデータを非接触で送受し得る非接触ＩＣカードに対し前記データを読み書きするカードインターフェイス部と、
アプリケーションを提供するサーバーと通信する高速通信部と、
ユーザーからの指示を受付ける操作部と、
前記カードインターフェイス部、前記高速通信部および前記操作部を制御しかつユーザーの指示に応答して前記サーバーから一以上のアプリケーションをダウンロードしインストールする制御部と、
インストールされているアプリケーションの目録であるアプリケーションリストおよびユーザー別の設定に係る設定情報を格納するデータ格納部とを備え、
前記制御部は、前記操作部が受付けたバックアップ指示に応答して前記アプリケーションリストと前記設定情報とを前記データ格納部から前記非接触ＩＣカードに書込み、および／または前記操作部が受付けたリストア指示に応答して前記非接触ＩＣカードにバックアップされた前記アプリケーションリストと前記設定情報とを読み出して前記データ格納部へ格納しかつ前記設定情報に基づき前記ユーザーに応じた設定を行うように制御することを特徴とする通信端末。
【請求項２】
前記制御部は、前記バックアップ指示に応答して前記アプリケーションリストに対応するアプリケーションを前記サーバーからダウンロードする請求項１に記載の通信端末。
【請求項３】
ユーザーの識別および／または認証に用いるユーザー情報を用いてユーザー認証を行うユーザー情報認証部をさらに備え、
前記ＩＣカードは、前記ユーザー情報を予め保持しており、
前記制御部は、前記ユーザー情報認証部によるユーザー認証が成功した後、前記バックアップ指示および前記リストア指示に応答する請求項１または２に記載の通信端末。
【請求項４】
前記制御部は、前記リストア指示に応答して読み出されたアプリケーションリストに基づいて、既にインストールされているアプリケーションのうち不要なアプリケーションを削除し、かつ現在のユーザー別の設定を読み出された設定情報に基づいて更新する請求項１ないし３のいずれか１つに記載の通信端末。
【請求項５】
データを保持しかつそのデータを非接触で送受し得る非接触ＩＣカードに対し前記データを読み書きするカードインターフェイス部と、
アプリケーションを提供するサーバーと通信する高速通信部と、
ユーザーからの指示を受付ける操作部と、
前記カードインターフェイス部、前記高速通信部および前記操作部を制御しかつユーザーの指示に応答して前記サーバーから一以上のアプリケーションをダウンロードしインストールする制御部と、
インストールされているアプリケーションの目録であるアプリケーションリストおよびユーザー別の設定に係る設定情報を格納するデータ格納部とを備える通信端末において、
前記制御部は、前記操作部が受付けたバックアップ指示に応答して前記アプリケーションリストと前記設定情報とを前記データ格納部から前記非接触ＩＣカードに書込み、および／または前記操作部が受付けたリストア指示に応答して前記非接触ＩＣカードにバックアップされた前記アプリケーションリストと前記設定情報とを読み出して前記データ格納部へ格納しかつ前記設定情報に基づき前記ユーザーに応じた設定を行うように制御することを特徴とする通信端末の設定方法。
【発明の詳細な説明】
【技術分野】
【０００１】
この発明は、非接触ＩＣカードを用いたアプリケーションおよび設定情報のバックアップおよび復元に関する。
【背景技術】
【０００２】
スマートフォンやタブレット端末は、クラウドサービスのキーデバイスとして普及が進んでおり、ユーザーは、端末上に必要とするアプリケーションを、アプリケーションマーケット等を通じてクラウド側からダウンロードすることによって端末をカスタマイズする。また、スマートフォンやタブレット端末は、モバイル性が高いことから紛失や盗難の可能性が高く、また処理能力が高いことから従来の携帯電話と比べて携行する情報量が多くなっており、バックアップの重要性が高くなっている。それゆえ、ＭｉｃｒｏＳＤカード、外付けＨＤＤ、ＵＳＢメモリなどの記憶媒体やオンラインストレージにデータを転送してバックアップを行う。さらに、近年のＩＣカードの普及に伴い、ＩＣカードのメモリにデータを転送してバックアップを行うＩＣカードも知られている（例えば、特許文献１、２を参照）。
【先行技術文献】
【特許文献】
【０００３】
【特許文献１】特開２０００−１２３１３４号公報
【特許文献２】特開２０１０−１８２２７０号公報
【発明の概要】
【発明が解決しようとする課題】
【０００４】
ところで、従来のバックアップ方法においては、端末の設定情報、例えば、動画アプリケーションの視聴中の画面の明るさの設定や、電子書籍アプリケーションの閲覧中の文字サイズの設定などの情報を保存する手段がなく、データの復元後には初期状態に戻されるため、再度手入力による設定を行う必要がある。これらの端末設定情報は、事前に取っておいたメモなどの情報を元に、手入力で逐一設定を行う必要があるため、設定項目が多くなると作業が極めて煩雑になることがある。また、スマートフォンやタブレット端末は、アプリケーションで端末をカスタマイズするが、端末にどのアプリケーションをインストールしていたかを記憶する手段がないため、バックアップ時にデータの移し忘れが生じることがある。それゆえ、どのアプリケーションを端末にインストールしたかをその都度覚えておかなければならず、データの復元時に、事前に取っておいたメモなどの情報を元に再度インストールを行う必要があるため、作業が煩雑になるという問題があった。
【０００５】
上記の実情に鑑み、データのバックアップ時および復元時のユーザーへの負担を軽減する機能を備えた通信端末およびその設定方法が求められていた。
【課題を解決するための手段】
【０００６】
この発明は、データを保持しかつそのデータを非接触で送受し得る非接触ＩＣカードに対し前記データを読み書きするカードインターフェイス部と、アプリケーションを提供するサーバーと通信する高速通信部と、ユーザーからの指示を受付ける操作部と、前記カードインターフェイス部、前記高速通信部および前記操作部を制御しかつユーザーの指示に応答して前記サーバーから一以上のアプリケーションをダウンロードしインストールする制御部と、インストールされているアプリケーションの目録であるアプリケーションリストおよびユーザー別の設定に係る設定情報を格納するデータ格納部とを備え、前記制御部は、前記操作部が受付けたバックアップ指示に応答して前記アプリケーションリストと前記設定情報とを前記データ格納部から前記非接触ＩＣカードに書込み、および／または前記操作部が受付けたリストア指示に応答して前記非接触ＩＣカードにバックアップされた前記アプリケーションリストと前記設定情報とを読み出して前記データ格納部へ格納しかつ前記設定情報に基づき前記ユーザーに応じた設定を行うように制御することを特徴とする通信端末を提供するものである。
また、この発明は、データを保持しかつそのデータを非接触で送受し得る非接触ＩＣカードに対し前記データを読み書きするカードインターフェイス部と、アプリケーションを提供するサーバーと通信する高速通信部と、ユーザーからの指示を受付ける操作部と、前記カードインターフェイス部、前記高速通信部および前記操作部を制御しかつユーザーの指示に応答して前記サーバーから一以上のアプリケーションをダウンロードしインストールする制御部と、インストールされているアプリケーションの目録であるアプリケーションリストおよびユーザー別の設定に係る設定情報を格納するデータ格納部とを備える通信端末において、前記制御部は、前記操作部が受付けたバックアップ指示に応答して前記アプリケーションリストと前記設定情報とを前記データ格納部から前記非接触ＩＣカードに書込み、および／または前記操作部が受付けたリストア指示に応答して前記非接触ＩＣカードにバックアップされた前記アプリケーションリストと前記設定情報とを読み出して前記データ格納部へ格納しかつ前記設定情報に基づき前記ユーザーに応じた設定を行うように制御することを特徴とする通信端末の設定方法を提供するものである。
【発明の効果】
【０００７】
この発明によれば、前記操作部が受付けたバックアップ指示に応答して前記アプリケーションリストと前記設定情報とを前記データ格納部から前記非接触ＩＣカードに書込み、および／または前記操作部が受付けたリストア指示に応答して前記非接触ＩＣカードにバックアップされた前記アプリケーションリストと前記設定情報とを読み出して前記データ格納部へ格納しかつ前記設定情報に基づき前記ユーザーに応じた設定を行うため、データの復元後に再度手入力による設定を行う必要がなく、ユーザーへの負担が軽減される。また、端末にどのアプリケーションをインストールしていたかを記憶する必要がなく、バックアップ時にデータの移し忘れが生じることもない。
【図面の簡単な説明】
【０００８】
【図１】この発明の第１実施形態に係るバックアップシステムの概要を示す説明図である。
【図２】この発明の第１実施形態に係るバックアップシステムの構成を示すブロック図である。
【図３】この発明の第１実施形態に係る端末のアプリケーションのバックアップ時の処理の一例を示すフローチャートである。
【図４】この発明の第１実施形態に係る端末のアプリケーションのバックアップ時の操作手順の一例を示す説明図である。
【図５】この発明の第１実施形態に係る端末のアプリケーションの復元時の処理の一例を示すフローチャートである。
【図６】この発明の第１実施形態に係る端末のアプリケーションの復元時の操作手順の一例を示すフローチャートである。
【発明を実施するための形態】
【０００９】
この発明は、データを保持しかつそのデータを非接触で送受し得る非接触ＩＣカードに対し前記データを読み書きするカードインターフェイス部と、アプリケーションを提供するサーバーと通信する高速通信部と、ユーザーからの指示を受付ける操作部と、前記カードインターフェイス部、前記高速通信部および前記操作部を制御しかつユーザーの指示に応答して前記サーバーから一以上のアプリケーションをダウンロードしインストールする制御部と、インストールされているアプリケーションの目録であるアプリケーションリストおよびユーザー別の設定に係る設定情報を格納するデータ格納部とを備え、前記制御部は、前記操作部が受付けたバックアップ指示に応答して前記アプリケーションリストと前記設定情報とを前記データ格納部から前記非接触ＩＣカードに書込み、および／または前記操作部が受付けたリストア指示に応答して前記非接触ＩＣカードにバックアップされた前記アプリケーションリストと前記設定情報とを読み出して前記データ格納部へ格納しかつ前記設定情報に基づき前記ユーザーに応じた設定を行うように制御することを特徴とする通信端末を提供するものである。
また、この発明は、データを保持しかつそのデータを非接触で送受し得る非接触ＩＣカードに対し前記データを読み書きするカードインターフェイス部と、アプリケーションを提供するサーバーと通信する高速通信部と、ユーザーからの指示を受付ける操作部と、前記カードインターフェイス部、前記高速通信部および前記操作部を制御しかつユーザーの指示に応答して前記サーバーから一以上のアプリケーションをダウンロードしインストールする制御部と、インストールされているアプリケーションの目録であるアプリケーションリストおよびユーザー別の設定に係る設定情報を格納するデータ格納部とを備える通信端末において、前記制御部は、前記操作部が受付けたバックアップ指示に応答して前記アプリケーションリストと前記設定情報とを前記データ格納部から前記非接触ＩＣカードに書込み、および／または前記操作部が受付けたリストア指示に応答して前記非接触ＩＣカードにバックアップされた前記アプリケーションリストと前記設定情報とを読み出して前記データ格納部へ格納しかつ前記設定情報に基づき前記ユーザーに応じた設定を行うように制御することを特徴とする通信端末の設定方法を提供するものである。
【００１０】
「アプリケーションリスト」とは、通信端末内にインストールされたアプリケーションの目録であり、どのアプリケーションが端末内に既にインストールされているのかを識別する。
「設定情報」とは、画面の明るさ、音量の大きさ、文字の大きさの他、無線ＬＡＮなど、ユーザー別の設定に係る端末およびアプリケーションの端末の設定情報である。端末設定情報の具体例としては、例えば、動画アプリケーションの視聴中の画面の明るさの設定や、音楽アプリケーションの曲ごとの音量設定、電子書籍アプリケーションの閲覧中の文字サイズの設定、特定のアプリケーションの起動時のＷｉ−Ｆｉのオン／オフ設定などの設定情報が挙げられる。
「リストア」とは、破損または消去したデータの復元処理を行うことである。なお、バックアップ指示を実行する端末と、リストア指示を実行する端末とは必ずしも同一である必要はなく、バックアップ指示を実行した端末とは異なる端末にリストア指示を実行してもよい。
【００１１】
この発明による通信端末において、前記制御部は、前記バックアップ指示に応答して前記アプリケーションリストに対応するアプリケーションを前記サーバーからダウンロードするものであってもよい。
このようにすれば、前記アプリケーションリストに対応するアプリケーションを前記サーバーからダウンロードするため、バックアップに最低限必要なデータのみＩＣカードにバックアップし、サイズの大きなアプリケーションデータはサーバーからダウンロードするため、ＩＣカードには少量のデータを記録するだけで足り、また非接触方式のＩＣカードを用いた場合でも、転送すべきデータサイズが小さく、バックアップデータの送受信に要する時間を著しく短縮できるため、ユーザーの待ち時間が短くなり、ユーザーへの負担が軽減される。
【００１２】
この発明による通信端末において、ユーザーの識別および／または認証に用いるユーザー情報を用いてユーザー認証を行うユーザー情報認証部をさらに備え、前記ＩＣカードは、前記ユーザー情報を予め保持しており、前記制御部は、前記ユーザー情報認証部によるユーザー認証が成功した後、前記バックアップ指示および前記リストア指示に応答するものであってもよい。
【００１３】
このようにすれば、社員証など、ユーザー情報が組み込まれたＩＤカード（個人認証にかかるＩＣカード）をそのままユーザー認証用のＩＣカードとして利用することによって、ＩＤカードを端末にかざすだけでユーザー認証がなされるため、パスワードの入力など特別な操作を要することなく、バックアップが可能となる。また、ＭｉｃｒｏＳＤカードなどバックアップ用の媒体を別途持ち運ぶ必要がなくなり、バックアップ用の媒体の紛失や盗難の可能性が低減される。さらに、企業向けのタブレット端末など、業務用端末のバックアップにＭｉｃｒｏＳＤカードなど単なる汎用メディアを用いた場合、従業員であるユーザーの退職などに伴い、顧客情報などの機密データが流出するおそれがあるが、社員証などのＩＤカードにバックアップを行うことにより、機密情報をＩＤカードに一元管理できるため、情報流出のリスクが低減され、セキュリティが強化される。
【００１４】
前記制御部は、前記リストア指示に応答して読み出されたアプリケーションリストに基づいて、既にインストールされているアプリケーションのうち不要なアプリケーションを削除し、かつ現在のユーザー別の設定を読み出された設定情報に基づいて更新するものであってもよい。
【００１５】
このようにすれば、同一の端末におけるデータのリストアだけでなく、バックアップを行った端末とは異なる端末に非接触ＩＣカードをかざすことによって、旧端末の設定情報を引き継ぎつつアプリケーションの移行が可能になる。特に、業務用の通信端末など、複数のユーザーが通信端末を共有する使用態様において、再度手作業による端末設定の入力に煩わされることなく新しい端末に非接触ＩＣカードをかざすだけで、アプリケーションの設定情報を新しい端末へ送信可能となり、データのバックアップ時および復元時のユーザーへの負担が軽減される。
【００１６】
なお、リストアの実行時に端末内にセットアップされている不要なアプリケーションを削除する他、バックアップの実行時に端末内にセットアップされているアプリケーションデータの吸い上げ（削除）を行ってもよい。
【００１７】
〔第１実施形態〕
図１〜図６に基づき、この発明の第１実施形態に係るアプリケーションのバックアップシステムについて説明する。
【００１８】
最初に、図１に基づき、この発明の第１実施形態に係るアプリケーションのバックアップシステムの概要を説明する。
図１は、この発明の第１実施形態に係るアプリケーションのバックアップシステムの概要を示す説明図である。
【００１９】
図１に示すように、この発明の第１実施形態に係るアプリケーションのバックアップシステムは、端末１、ＩＣカード２およびサーバー３から構成される。
【００２０】
端末１は、内部に記録されたユーザーＩＤ、アプリケーションリスト、端末設定情報などのバックアップデータを読み込み、ＩＣカード２に書き込む処理を行うことでバックアップを行う。ＩＣカード２からデータを読み込む場合は、ＩＣカード２から読み取ったバックアップデータを端末１内に記憶する。そして、アプリケーションリストに基づいてサーバー３側へアプリケーションのダウンロード要求を行い、端末設定情報に基づき、端末１の設定処理を行う。
【００２１】
図２は、この発明の第１実施形態に係るバックアップシステムの構成を示すブロック図である。
【００２２】
端末１は、端末制御部１０、操作部１１、表示部１２、端末通信部１３、カードインターフェイス部１４、端末格納部１５を備える。端末格納部１５は、ユーザーＩＤ１５１、アプリケーションリスト１５２および端末設定情報１５３を備える。
ＩＣカード２は、ＩＣカード通信部２１およびＩＣカード格納部２２を備える。ＩＣカード格納部２２は、ユーザーＩＤ２２１、アプリケーションリスト２２２および端末設定情報２２３を備える。
サーバー３は、サーバー制御部３０、サーバー通信部３１、アプリケーション格納部３２を備える。アプリケーション格納部３２は、アプリケーションのデータ自体が格納される。図２の例において、４つのアプリケーション３２１，３２２，３２３，３２４を格納している。
【００２３】
この発明の「高速通信部」は、端末通信部１３に相当する。また、この発明の「ユーザー情報認証部」は、端末制御部１０、端末通信部１３および端末格納部１５の協働によって実現される。
【００２４】
端末制御部１０は、ＣＰＵあるいはマイクロプロセッサ(Microprocessor)を主体とする回路である。なお、周辺回路として、特定の用途のために設計、製造される集積回路であるＡＳＩＣ（Application Specific Integrated Circuit）、その他の演算機能を有する回路を含んでいてもよい。
【００２５】
操作部１１は、端末１への指令、ＩＤの入力操作または表示部１２へのアプリケーションの表示等の操作を行う。操作部１１としては、例えば、オペレーティングシステムやアプリケーションソフトウェアに対し処理の指示や情報入力をするための、キーやタッチパネルなどが挙げられる。
【００２６】
表示部１２は、端末１の電源ＯＮ時にユーザーにＩＣカードの提示を促すメッセージの表示を行ったり、起動されたアプリケーションの表示を行ったりするなど、端末１の動作に応じた各種表示を行う。表示部１２としては、例えば、ＣＲＴディスプレイ、液晶ディスプレイ、ＥＬディスプレイなどで構成される。
【００２７】
端末通信部１３は、サーバー３のサーバー通信部３１と通信を行う。この発明では、カードインターフェイス部１４で読み取ったアプリケーションリストをサーバー３に送信し、サーバー３から該当するアプリケーションのダウンロードを行う。この発明の第１実施形態において、端末１とサーバー３との間の通信の無線通信規格としては、例えば、電波の直進性に優れ、干渉が少ないため、安定した通信が可能な無線ＬＡＮの標準規格ＩＥＥＥ８０２．１１ａ／ｂ／ｇ／ｎ準拠の規格等が挙げられる。また、最大５４Ｍｂｐｓもの高速通信も実現できる。
【００２８】
カードインターフェイス部１４は、ＩＣカード通信部２１を通じて、端末格納部１５に記録されたユーザーＩＤ１５１、アプリケーションリスト１５２および端末設定情報１５３のＩＣカード格納部２２への書き込み、およびＩＣカード格納部２２に記録されたユーザーＩＤ２２１、アプリケーションリスト２２２、端末設定情報２２３の読み取りを行う。
【００２９】
カードインターフェイス部１４の読み書き方法としては、ＮＦＣ（Near Field Communication）を用いる。ＮＦＣは、１３．５６ＭＨｚ帯の近距離無線通信規格であり、ＲＦＩＤ技術（ＩＣカード／ＩＣタグ）の次世代標準規格として国際標準機関（ＩＳＯ）に承認されたものである。その通信プロトコルとしては、例えば、ＩＳＯ１４４４３  Ｔｙｐｅ  Ａ，Ｂ，ＦｅｌｉＣａ（登録商標）、ＩＳＯ１５６９３の４種類が挙げられる。ＩＳＯ１５６９３は、ＩＣタグの通信プロトコルを規定したものであるため、この発明のように、ＩＣカード２と端末１の認証を行う場合には、ＩＳＯ  ＴｙｐｅＡ，Ｂ，ＦｅｌｉＣａのうちのいずれかを用いる場合が一般的である。
なお、読み取り方式としては、非接触方式に限られず、接触方式による読み取りであってもよい。
【００３０】
端末格納部１５は、ユーザーＩＤ１５１、端末１にインストールされているアプリケーションリスト１５２、および端末１の各種設定情報１５３が記憶されている。ここで、設定情報とは、画面の明るさ、音量の大きさ、文字の大きさの他、無線ＬＡＮの設定情報なども含まれる。
【００３１】
ユーザーＩＤ１５１は、ユーザー認証のための社員ＩＤ等のユーザー情報である。
アプリケーションリスト１５２は、業務に必要な各種アプリケーションなどのデータである。
設定情報１５３は、端末１の設定に関する情報であり、例えば画面の明るさ、音量の大きさ、文字の大きさの他、無線ＬＡＮの設定情報なども含まれる。
【００３２】
ＩＣカード通信部２１は、端末１のカードインターフェイス部１４と通信を行う。第１実施形態においては、通信技術として、ＮＦＣが用いられる。
ＩＣカード格納部２２は、端末１からＩＣカード通信部２１を通じて読み取ったバックアップデータ（ユーザーＩＤ、アプリケーションリスト、端末設定情報）を記録する。
【００３３】
サーバー制御部３０は、ＣＰＵあるいはマイクロプロセッサ(Microprocessor)を主体とする回路である。
第１実施形態において、サーバー制御部３０は、端末１側から送信されたアプリケーションリストに基づいてアプリケーション格納部３２から必要なアプリケーションを読み出し、サーバー通信部３１を介して、端末１へアプリケーションデータを送信する。
【００３４】
サーバー通信部３１は、端末１の端末通信部１３とデータ通信を行うもので、端末１から、アプリケーションリストが送付され、アプリケーションのダウンロード要求があった場合、端末１に必要なアプリケーションを送信する。第１実施形態においては、通信手段として、無線ＬＡＮ技術を用いる。
【００３５】
次に、図３に基づき、この発明の第１実施形態に係る端末のアプリケーションのバックアップ時の処理の一例について説明する。
図３は、この発明の第１実施形態に係る端末のアプリケーションのバックアップ時の処理の一例を示すフローチャートである。
【００３６】
図３に示すように、バックアップの開始時において、端末制御部１０は、バックアップ用のアプリケーション３２５の起動を確認すると（ステップＳ１）、ステップＳ２へ進み、ＩＣカード２の認証を促すメッセージを表示部１２に表示させる（ステップＳ２）。
なお、端末制御部１０は、端末１へのログイン時に表示部１２にＩＣカード２を提示してユーザー認証を促す表示をさせてもよい。
【００３７】
次に、ステップＳ３において、端末制御部１０は、ＩＣカード２を検出したか否かを判定する（ステップＳ３）。ここで、ステップＳ３において、ＩＣカード２を検出した場合（ステップＳ３の判定がＹｅｓの場合）、端末制御部１０は、ステップＳ４へ進む。一方、ＩＣカード２を検出しない場合（ステップＳ３の判定がＮｏの場合）、端末制御部１０は、ＩＣカード２を検出するまで、ステップＳ３の判定を繰り返す。
【００３８】
最後に、ステップＳ４において、端末制御部１０は、端末格納部１５からデータを読み出し、端末通信部１３に送信させ、ＩＣカード２のＩＣカード格納部２２に書き込み（ステップＳ４）、バックアップ処理を終了させる。
【００３９】
次に、図４に基づき、この発明の第１実施形態に係る端末のアプリケーションのバックアップ時の操作手順の一例について説明する。
図４は、この発明の第１実施形態に係る端末のアプリケーションのバックアップ時の操作手順の一例を示す説明図である。
【００４０】
図４（Ａ）に示すように、端末１のユーザーは、端末１のアプリケーションのバックアップを行う際、バックアップ用アプリケーション３２５を起動させる（図３のステップＳ１に対応）。図４（Ａ）において、ユーザーは、端末１の表示部１２に表示されたアプリケーション３２５を人差し指でタッチすることにより起動させている。
【００４１】
図４（Ｂ）に示すように、バックアップ用アプリケーション３２５が起動すると、表示部１２にＩＣカード２の認証を促すメッセージが表示される（図３のステップＳ２に対応）。ここで、ユーザーが端末１にＩＣカード２をかざして「バックアップ」ボタンを押すと、端末１は、ＩＣカード２を検出する（図３のステップＳ３に対応）。続いて、端末１は通信を行い、端末１内の端末設定情報１５３をＩＣカード２に記録させる（図３のステップＳ４に対応）。また、「バックアップ」ボタンの入力確認後、ＩＣカード２を検出するようにしてもよい。
【００４２】
端末１とＩＣカード２との通信中、図４（Ｃ）に示すように、端末１は表示部１２に「通信中」の表示をさせる。
ＩＣカード２へのバックアップが完了すると、図４（Ｄ）に示すように、端末１は表示部１２に「バックアップ完了」の表示をさせて、バックアップ処理を終了させる。
【００４３】
次に、図５に基づき、この発明の第１実施形態に係る端末１のアプリケーションの復元時の処理手順の一例について説明する。
図５は、この発明の第１実施形態に係る端末１のアプリケーションのバックアップ時の処理の一例を示すフローチャートである。
【００４４】
図５に示すように、最初にステップＳ１１において、端末制御部１０は、バックアップ用のアプリケーション３２６の起動を確認すると（ステップＳ１１）、ステップＳ１２へ進み、ＩＣカード２の認証を促すメッセージを表示部１２に表示させる（ステップＳ１２）。なお、端末制御部１０は、端末１へのログイン時に表示部１２にＩＣカード２を提示してユーザー認証を促す表示をさせてもよい。
【００４５】
次に、ステップＳ１３において、端末制御部１０は、ＩＣカード２を検出したか否かを判定する（ステップＳ１３）。ステップＳ１３において、ＩＣカード２を検出した場合（ステップＳ１３の判定がＹｅｓの場合）、端末制御部１０は、ステップＳ１４へ進む。一方、ＩＣカード２を検出しない場合（ステップＳ１３の判定がＮｏの場合）、端末制御部１０は、ＩＣカード２を検出するまで、ステップＳ１３の判定を繰り返す。
【００４６】
次に、ステップＳ１４において、端末制御部１０は、ＩＣカード２からＩＣカード格納部２２に記録されたデータを読み出し、ＩＣカード通信部２１を通じて端末通信部１３に送信させ、端末格納部１５に書き込む（ステップＳ１４）。
【００４７】
続いて、端末制御部１０は、ＩＣカード２から読み出し端末格納部１５に書き込まれたデータ中のアプリケーションリスト１５２を端末通信部１３にサーバー３へ送信させる（ステップＳ１５）。
【００４８】
一方、ステップＳ３１において、サーバー制御部３０は、サーバー通信部３１を通じて端末１からアプリケーションリスト１５２の受信を開始する（ステップＳ３１）。続くステップＳ３２において、サーバー制御部３０は、サーバー通信部３１がアプリケーションリスト１５２の受信を完了したか否かを判定する（ステップＳ３２）。サーバー通信部３１がアプリケーションリスト１５２の受信を完了した場合（ステップＳ３２の判定がＹｅｓの場合）、サーバー制御部３０は、端末１に対して、アプリケーションリスト１５２の受信を完了した旨の通知をサーバー通信部３１に送信させる（ステップＳ３３）。
【００４９】
続いて、ステップＳ１６において、端末制御部１０は、端末通信部１３がアプリケーションリスト１５２の受信を完了した旨の通知を受信したか否かを判定する（ステップＳ１６）。端末通信部１３がアプリケーションリスト１５２の受信を完了した旨の通知を受信した場合（ステップＳ１６の判定がＹｅｓの場合）、端末制御部１０は、ステップＳ１７へ進む。一方、端末通信部１３がアプリケーションリスト１５２の受信を完了した旨の通知を受信していない場合（ステップＳ１６の判定がＮｏの場合）、当該通知を受信するまで、端末制御部１０はステップＳ１６の判定を反復する。
【００５０】
次に、ステップＳ１７において、端末制御部１０は、サーバー３に対して端末通信部１３に端末格納部１５に記録されたアプリケーションリスト１５２に該当するアプリケーションのダウンロード要求を行わせる（ステップＳ１７）。
【００５１】
一方、ステップＳ３４において、サーバー制御部３０は、サーバー通信部３１が端末１からアプリケーションのダウンロード要求を受信したか否かを判定する（ステップＳ３４）。サーバー通信部３１がアプリケーションのダウンロード要求を受信した場合（ステップＳ３４の判定がＹｅｓの場合）、サーバー制御部３０は、ステップＳ３５へ進む。一方、サーバー通信部３１がアプリケーションのダウンロード要求を受信していない場合（ステップＳ３４の判定がＮｏの場合）、当該通知を受信するまで、サーバー制御部３０はステップＳ３４の判定を反復する。
【００５２】
次に、ステップＳ３５において、サーバー制御部３０は、サーバー３内でアプリケーションリスト１５２に対応するアプリケーションの検索を行い（ステップＳ３５）、ステップＳ３６へ進む。
続くステップＳ３６において、サーバー制御部３０は、サーバー通信部３１にアプリケーションリスト１５２に対応するアプリケーションを送信させて（ステップＳ３６）、処理を終了させる。
【００５３】
一方、ステップＳ１８において、端末制御部１０は、端末通信部１３がアプリケーションのダウンロードを完了したか否かを判定する（ステップＳ１８）。端末通信部１３がアプリケーションのダウンロードを完了した場合（ステップＳ１８の判定がＹｅｓの場合）、端末制御部１０は、ステップＳ１９へ進む。一方、端末通信部１３がアプリケーションのダウンロードを完了していない場合（ステップＳ１８の判定がＮｏの場合）、当該ダウンロードを完了するまで、端末制御部１０はステップＳ１８の手順を反復する。
【００５４】
続くステップＳ１９において、端末制御部１０は、アプリケーションのインストールを行い、端末１内にアプリケーションを取り込み（ステップＳ１９）、ステップＳ２０へ進む。
最後に、ステップＳ２０において、端末制御部１０は、端末設定情報１５３に基づき、端末１の設定処理を行い（ステップＳ２０）、処理を終了させる。
【００５５】
次に、図６に基づき、この発明の第１実施形態に係る端末のアプリケーションの復元時の操作手順の一例について説明する。
図６は、この発明の第１実施形態に係る端末のアプリケーションの復元時の操作手順の一例を示す説明図である。
【００５６】
図６（Ａ）に示すように、ユーザーは、新しい端末１を入手して、当該端末１においてアプリケーションの復元を行う際、復元用アプリケーション３２６を起動させる（図５のステップＳ１１に対応）。図６（Ａ）において、ユーザーは、端末１の表示部１２に表示されたアプリケーション３２６を人差し指でタッチすることにより起動させている。
【００５７】
次に、図６（Ｂ）に示すように、復元用アプリケーション３２６が起動すると、表示部１２にＩＣカード２の認証を促すメッセージが表示される（図５のステップＳ１２に対応）。ここで、ユーザーが端末１にＩＣカード２をかざして「復元」ボタンを押すと、端末１は、ＩＣカード２を検出する（図５のステップＳ１３に対応）。続いて、端末１はＩＣカード２と通信を行い、ＩＣカード格納部２２に記録された端末設定情報２２３を端末格納部１５に端末設定情報１５３として記録させ（図５のステップＳ１４に対応）、それに基づいて端末１内の設定を行う。また、「復元」ボタンの入力確認後、ＩＣカード２を検出するようにしてもよい。
【００５８】
図６（Ｃ）に示すように、端末１とＩＣカード２との通信中において、端末１は表示部１２に「通信中」の表示をさせる。
続いて、端末１は、サーバー３にアクセスを行い、アプリケーションリスト１５２を送信する間、図６（Ｄ）に示すように、表示部１２に「アプリケーション送信中」の表示をさせて、アプリケーションの送信中であることを示す（図５のステップＳ１５およびＳ１６、Ｓ３１〜Ｓ３３に対応）。
【００５９】
また、端末１が、サーバー３から、アプリケーションリスト１５２に対応するアプリケーションをダウンロード中のときは、図６（Ｅ）に示すように、表示部１２に「アプリケーションダウンロード中」の表示をさせて、アプリケーションのダウンロード中であることを示す（図５のステップＳ１７およびＳ１８、Ｓ３４〜Ｓ３６に対応）。そして、端末１は、ダウンロードの完了時に、図６（Ｆ）に示すように、表示部１２に「ダウンロード完了」と表示させることにより、アプリケーションのダウンロードが完了したことを示す。
【００６０】
続いて、図６（Ｇ）に示すように、端末１は、ダウンロードしたアプリケーションのインストールを行う間、表示部１２に「インストール中」の表示をさせて、アプリケーションのインストール中であることを示す。このとき、端末１は、表示部１２に現在インストール中のアプリケーションの情報を表示させてもよい。図６（Ｇ）においては、現在インストール中のアプリケーションは「Ｓｃａｎ  ｂｙ  Ｃａｍｅｒａ」であることを示し、また「４／１２」と表示させることで、インストールすべきアプリケーションの総数１２のうち、現在４番目のアプリケーションをインストール中であることを示している（図５のステップＳ１９に対応）。
【００６１】
最後に、新しい端末１へのアプリケーションのインストールが完了すると、図６（Ｈ）に示すように、端末１は表示部１２に「インストール完了」の表示をさせて、復元処理を終了させる（図５のステップＳ２０に対応）。
【００６２】
以上により、端末１にＩＣカード２をかざすことで、端末１のバックアップと再セットアップを手軽かつ容易に行うことができる。
【符号の説明】
【００６３】
１：端末
２：ＩＣカード
３：サーバー
１０：端末制御部
１１：操作部
１２：表示部
１３：端末通信部
１４：カードインターフェイス部
１５：端末格納部
２１：ＩＣカード通信部
２２：ＩＣカード格納部
３０：サーバー制御部
３１：サーバー通信部
３２：アプリケーション格納部
１５１，２２１：ユーザーＩＤ
１５２，２２２：アプリケーションリスト
１５３，２２３：端末設定情報
３２１，３２２，３２３，３２４：アプリケーション
３２５：バックアップ用アプリケーション
３２６：復元用アプリケーション
【図１】
2013257780.tif 000003
【図２】
2013257780.tif 000004
【図３】
2013257780.tif 000005
【図４】
2013257780.tif 000006
【図５】
2013257780.tif 000007
【図６】
2013257780.tif 000008